(57)【要約】【課題】構造がシンプルで、十分な強度があり、美観にすぐれ、かつ手すりの施工性にもすぐれた、手すり支柱の取付構造を提供する。【解決手段】手すり支柱の取付構造は、手すり支柱２０を側桁１０に取り付けてなる手すり支柱の取付構造であって、側桁１０は、厚み方向に２分割した分割桁材１１、１１を貼り合わせてなり、分割桁材１１の貼り合わせ面１３に、手すり支柱２０の下端部２２を収容する収容凹部１４が形成され、分割桁材１１の上端面１２には、収容凹部１４より外部に連通し、手すり支柱２０を上方に突出させる開口１５が形成されている。【選択図】図１
2015074935.tif 000002
【特許請求の範囲】
【請求項１】
手すり支柱を側桁に取り付けてなる手すり支柱の取付構造であって、
前記側桁は、厚み方向に２分割した分割桁材を貼り合わせてなり、
前記分割桁材の貼り合わせ面に、前記手すり支柱の下端部を収容する収容凹部が形成され、前記分割桁材の上端面には、前記収容凹部より外部に連通し、前記手すり支柱を上方に突出させる開口が形成されていることを特徴とする手すり支柱の取付構造。
【請求項２】
請求項１において、
前記手すり支柱の下端部には、抜け止め片が形成されており、
前記分割桁材の収容凹部は、前記抜け止め片の形状に合致した抜け止め用凹部を有した形状となっていることを特徴とする手すり支柱の取付構造。
【請求項３】
請求項２において、
前記抜け止め用凹部は、階段の前後方向のすくなくとも一方に延びて形成されていることを特徴とする手すり支柱の取付構造。
【請求項４】
請求項１〜３のいずれか１項において、
前記分割桁材の開口から前記収容凹部の下端部までの距離は、前記開口から前記収容凹部の下端部を通って仮想的に延びた仮想線が到達する前記分割桁材の下端面の位置までの長さの１／３以上とされることを特徴とする手すり支柱の取付構造。
【発明の詳細な説明】
【技術分野】
【０００１】
本発明は、手すり支柱の側桁に対する取付構造に関する。
【背景技術】
【０００２】
従来、建物の内外に設置される階段用の手すり支柱（手すり子）の取付構造として、多種のものが提案されている。特に、手すり支柱を側桁に取付固定する取付構造のものは、手すり支柱を踏み板に取り付ける構造のものよりも強度、美観においてすぐれており、多くの発明が提案されている（たとえば、特許文献１参照）。
【０００３】
特許文献１のものは、側桁に手すり支柱を固定、起立させた例である。このものは、側桁の上部に溝が形成され、その溝に手すり支柱のベース（下端部）を固定させて、手すり支柱を固定、立設させる構造となっている。手すり支柱のベース（下端部）は、溝に対して溝の端部から挿入、スライドさせて取り付けられるようになっている。
【先行技術文献】
【特許文献】
【０００４】
【特許文献１】特開２００５−３１５０３３号公報
【発明の概要】
【発明が解決しようとする課題】
【０００５】
しかしながら、特許文献１のものは、手すり支柱を起立させた後において、側桁の上端面に溝開口による隙間ができるため必ずしも美観が際立っているとは言えない。また、溝開口からほこりやごみが入り込むおそれがあるし、その掃除がしにくいという問題もある。さらに、取付構造が複雑であり、施工性が良いとも言いがたい。
【０００６】
本発明は、このような事情を考慮して提案されたもので、その目的は、構造がシンプルで、十分な強度があり、美観にすぐれ、かつ施工性にもすぐれた、手すり支柱の取付構造を提供することにある。
【課題を解決するための手段】
【０００７】
上記目的を達成するために、本発明の手すり支柱の取付構造は、手すり支柱を側桁に取り付けてなる手すり支柱の取付構造であって、側桁は、厚み方向に２分割した分割桁材を貼り合わせてなり、分割桁材の貼り合わせ面に、手すり支柱の下端部を収容する収容凹部が形成され、分割桁材の上端面には、収容凹部より外部に連通し、手すり支柱を上方に突出させる開口が形成されていることを特徴とする。
【０００８】
本発明においては、手すり支柱の下端部に抜け止め片が形成され、分割桁材の収容凹部が、抜け止め片の形状に合致した抜け止め用凹部を有した形状となっていてもよい。
【０００９】
本発明においては、抜け止め用凹部は、階段の前後方向のすくなくとも一方に延びて形成されていてもよい。
【００１０】
本発明においては、分割桁材の開口から収容凹部の下端部までの距離は、開口から収容凹部の下端部を通って仮想的に延びた仮想線が到達する分割桁材の下端面の位置までの長さの１／３以上とされる構成としてもよい。
【発明の効果】
【００１１】
本発明の手すり支柱の取付構造によれば、上述の構成となっているので、構造をシンプルにでき、十分な強度も確保できる。また、上述の構成となっているため、美観にもすぐれており、かつ施工性にもすぐれている。
【図面の簡単な説明】
【００１２】
【図１】本発明の一実施形態に係る手すり支柱の取付構造の説明図である。（ａ）は同取付構造が適用された階段の全体斜視図、（ｂ）は要部部分斜視図である。
【図２】要部部分分解斜視図である。
【図３】（ａ）は一方の分割桁材の貼り合わせ面の正面図である。（ｂ）は（ａ）のＡ−Ａ線に対応した側桁の断面図である。
【図４】本発明の他の実施形態に係る手すり支柱の取付構造の説明図である。（ａ）は手すり支柱の下端部の部分斜視図、（ｂ）は同実施形態で用いられる側桁の縦断面図である。
【発明を実施するための形態】
【００１３】
以下に、本発明の実施の形態について、添付図面にもとづいて説明する。
図１〜図３は、本発明の一実施形態に係る手すり支柱の取付構造の説明図である。
【００１４】
この手すり支柱の取付構造は、図１（ａ）に示すような屋内の階段１に用いられている。なお、本明細書では、踏み板３、３の下方側を前方、上方側を後方として前後方向を記載している。
【００１５】
図１（ａ）に示すように、この階段１は、前後方向に複数の踏み板３、３が等間隔に配され、踏み板３、３の左右の一端が壁４に固定され、他端が上下を固定した側桁１０に固定された構造となっている。そして、その側桁１０に手すり支柱２０、２０、２０（手すり子）を介して手すり２が取り付けらている。なお、本手すり支柱の取付構造が適用される階段１としては、踏み板３、３の左右両端側に側桁１０を配した構造のものでもよい。
【００１６】
手すり２は、前後方向に等間隔に配した複数の手すり支柱２０、２０、２０に支持されて、側桁１０の上方に側桁１０に平行となるように配設されている。図１（ａ）に示した手すり支柱２０、２０、２０の各々は、図１（ｂ）の要部部分斜視図に示すように、側桁１０の上端面より突き出るように起立した状態に固定されている。
【００１７】
図１（ａ）に例示した階段１の構成部材である、踏み板３、３、側桁１０（後述する両分割桁材１１、１１よりなる）、手すり支柱２０、２０、２０および手すり２は、木質材料を素材としているが、これには限定されず合成樹脂を素材としたものでもよい。
【００１８】
つぎに、手すり支柱の取付構造について説明する。
【００１９】
本手すり支柱の取付構造は、上述したように、手すり支柱２０を側桁１０に取り付けてなる手すり支柱の取付構造である。
【００２０】
この側桁１０は、厚み方向に２分割した分割桁材１１、１１を貼り合わせてなる。それら各分割桁材１１、１１の貼り合わせ面１３、１３には、手すり支柱２０の下端部２２を収容する収容凹部１４、１４が形成されている。分割桁材１１、１１の上端面１２、１２には、収容凹部１４、１４より外部に連通し、手すり支柱２０を上方に突出させるための開口１５、１５が形成されている（以上について、図１（ｂ）および図２参照）。
【００２１】
手すり支柱２０は、角柱材よりなる。この手すり支柱２０の厚み（前後方向から見た場合の手すり支柱２０の横幅寸法）は全長にわたり一定である。一方、幅寸法（左右方向から見た場合の手すり支柱２０の横幅寸法）は、最下端部を除く本体部２１においては一定である。手すり支柱２０の最下端部には、前後両方向に突出した幅広の抜け止め片２３が形成されている。
【００２２】
収容凹部１４、１４は、開口１５、１５より下方に凹溝状に延びている。図３（ａ）に示すように、分割桁材１１（図２の右側のもの）の収容凹部１４の正面形状は、手すり支柱２０の下端部２２の左右方向から見た形状と合致している。つまり、収容凹部１４の最下端部には、手すり支柱２０の抜け止め片２３の形状に合致した抜け止め用凹部１４ａが形成されている。この上下方向に延びた凹溝状の収容凹部１４は床面５に対して垂直となることが望ましいが、傾斜していてもよい。なお、他方の分割桁材１１（図２の右側のもの）の貼り合わせ面１３の正面図は、図３（ａ）に示したものと左右対称形状であるため、図示を省略した。
【００２３】
また、図３（ｂ）に示すように、それぞれの収容凹部１４、１４は、手すり支柱２０の半分の厚み分を収容できるように、それぞれが同じ深さ寸法となっている。なお、両収容凹部１４、１４の深さ寸法は同一でなくてもよく、両深さ寸法を合算した寸法が手すり支柱２０の厚みに合致するように形成したものであればよい。
【００２４】
このように、収容凹部１４、１４は、手すり支柱２０の下端部２２を左右半分ずつ収容できるようになっている。そのため、手すり支柱２０の下端部２２の左右がそれぞれの収容凹部１４、１４に収容された状態では、両分割桁材１１、１１は貼り合わせ面１３、１３同士が密着し、隙間なく貼り合わされた状態となる。分割桁材１１、１１の上端面１２、１２の開口１５、１５においては、開口周縁に手すり支柱２０が隙間なく密着する。このように、手すり支柱２０の下端部２２は収容凹部１４、１４にほとんど隙間なく収容される構成であるため、上方に突出した手すり支柱２０の上方部は、ぐらつくことなくしっかりと起立した状態を保持できる。
【００２５】
また、手すり支柱２０の（下端部２２の）厚み寸法と、両分割桁材１１、１１の収容凹部１４、１４の合計寸法が合致しているので、側桁１０の上端面においては隙間ができず、すっきりとした、すぐれた美観が得られる。また、貼り合わせ面１３、１３間に隙間ができないため、分割桁材１１、１１間の連結強度および側桁１０、手すり支柱２０間の連結強度を確保することができる。また、上面に隙間ができないため、ほこりやごみが貼り合わせ面１３、１３間や収容凹部１４、１４に入り込むおそれもない。
【００２６】
なお、収容凹部１４、１４は、深さ寸法（厚み方向の寸法）の合計寸法、前後方向の寸法のいずれかあるいは両方において、手すり支柱２０よりも大きくしたものとしてもよい。その場合には、詰め物などで手すり支柱２０がぐらつかないようにすればよい。このように開口１５、１５には多少の隙間ができてもよいが、分割桁材１１、１１の貼り合わせ面１３、１３間には隙間ができないようにすることが美観において、強度において、さらに手入れするうえでも好ましい。
【００２７】
また、分割桁材１１、１１同士の貼り合わせ固定には接着剤を用いるか、釘、ビスなどの固定具を用いればよい。さらに、手すり支柱２０も収容凹部１４、１４に接着されるようにすることが望ましいが、手すり支柱２０には抜け止め片２３が形成されているため、分割桁材１１、１１が貼り合わせ固定されているかぎりは、手すり支柱２０が抜け出るおそれはない。なお、抜け止め片２３は、手すり支柱２０の最下端部ではなく、高さ方向の中途位置に設けてもよい。
【００２８】
また、本実施形態の手すり支柱２０は、抜け止め片２３を含めて厚みを均一にしているので、部材の加工を効率的に行うことができる。
【００２９】
さらに、手すり支柱２０の一部を収容凹部１４、１４に収容し固定する取付構造となっているため、手すり支柱２０を固定するために他の固定部材を用いなくてもよく、取付構造をシンプルにできる。よって、コストの低減化が図れる。
【００３０】
また、本取付構造によれば、上記のような簡易な構造であるため階段１の施工を迅速化できる。手すり支柱２０の側桁１０への取り付けは工場で済ませておいてもよく、そうすることで現場での作業効率を向上させることができる。また、手すり支柱２０を床面５に対して垂直に立設させるよう施工するために、分割桁材１１、１１の収容凹部１４、１４の加工を、階段１の勾配に合うように現場で行うようにしてもよい。
【００３１】
さらに、手すり支柱２０の下端部２２が側桁１０の内部に収容され固定される構成であるため、安定感があり、十分な強度を確保することができる。分割桁材１１の開口１５から収容凹部１４の下端部までの距離ｈ１と、開口１５から収容凹部１４の下端部を通って延びた仮想線（図１（ａ）において１点鎖線で図示）が到達する分割桁材１１の下端面までの長さｈ２との関係はつぎのようになっている。
ｈ１  ＞  ｈ２×１／３
このような関係とすることが、手すり支柱２０を安全に固定するうえで望ましい。
【００３２】
つぎに、本発明の他の実施形態に係る手すり支柱の取付構造について、図４を参照して説明する。
【００３３】
この取付構造においては、手すり支柱２０の抜け止め片２３（収容凹部１４、１４の抜け止め凹部１４ａ、１４ａ）の形状が図１のものと異なる。なお、本体部２１は図１のものと同形状、同寸法とされる。
【００３４】
この手すり支柱２０の抜け止め片２３は、図４（ａ）に示すように、前後両方向および厚み両方向のいずれにも突出するように形成されている。なお、抜け止め片２３がこのような形状であるため、抜け止め片２３を別体として２部材を結合、固定して手すり支柱２０を形成してもよい。
【００３５】
このような手すり支柱２０を取り付けるために、本実施形態のものでは、側桁１０（分割桁材１１、１１）は図１のものよりも厚いものが用いられている。つまり、抜け止め用凹部１４ａ、１４ａの深さ寸法（手すり支柱２０の厚み方向の寸法）を十分にとれる程度の厚みの分割桁材１１、１１を使用することが望ましい。
【００３６】
したがって、手すり支柱２０の厚みよりも十分に大きな厚みの側桁１０を用いる場合には、図４の例のような抜け止め片２３を手すり支柱２０に形成することで、前後方向、厚み方向の両方向へのぐらつきをより精度よく防止することができる。
【００３７】
以上の実施形態では、踏み板３、３の左右の一方端側に側桁１０および手すり２を配した構造を示したが（図１（ａ）参照）、左右両端側に側桁１０および手すり２を配した構造としてもよい。その場合、左右いずれの手すり支柱２０も、上述したような分割桁材１１、１１の貼り合わせによる側桁１０への取付構造とすれば、左右で同一部材を用いることができ、生産効率において望ましい。
【符号の説明】
【００３８】
１          階段
２          手すり
３          踏み板
４          壁
５          床面
１０        側桁
１１        分割桁材
１２        上端面
１３        貼り合わせ面
１４        収容凹部
１４ａ      抜け止め用凹部
１５        開口
２０        手すり支柱
２１        本体部
２２        下端部
２３        抜け止め片
【図１】
2015074935.tif 000003
【図２】
2015074935.tif 000004
【図３】
2015074935.tif 000005
【図４】
2015074935.tif 000006